(57)【要約】【課題】工具を用いることなく、折畳、組立を簡単に行なうことができる折畳机を提供する。【解決手段】長方形状の天板と、この天板の短辺に沿って回軸芯を持つ姿勢で装着された第１蝶番と、この第１蝶番によって天板の両端に回動できるように装着され、天板と直交する向に回動した姿勢において机の脚として作用する一対の側板と、天板の一方の長辺に沿って、この長辺と平行する向に回動軸芯を持つ姿勢に装着された第２蝶板と、天板の長手方向の寸法にほぼ等しい寸法を有し、第２蝶番により回動し、立脚姿勢にある一対の側板の板面間に差し渡されて側板の立脚姿勢を補強する補強板と、補強板の回動遊端と一対の側板との間を係合させ一対の側板の立脚姿勢を固定する固定具とによって構成する。【選択図】　図１【特許請求の範囲】
【請求項１】
Ａ．長方形状の天板と、
Ｂ．この天板の短辺に沿って回動軸芯を持つ姿勢に装着された第１蝶番と、
Ｃ．この第１蝶番によって上記天板の両端に上記天板の板面と平行する姿勢と直交する姿勢に回動できるように装着され、上記天板と直交する向に回動した姿勢において机の脚として作用する一対の側板と、
Ｄ．上記天板の一方の長辺に沿って、この長辺と平行する向に回動軸芯を持つ姿勢に装着された第２蝶板と、
Ｅ．上記天板の長手方向の寸法にほぼ等しい寸法を有し、上記第２蝶番により上記天板の天面側の面に平行する姿勢から、上記天板の板面と直交する向に回動し、この回動姿勢において立脚姿勢にある上記一対の側板の板面間に差し渡されて上記側板の立脚姿勢を補強する補強板と、
Ｆ．この補強板の長手方向の両端の回動遊端側に装着され、上記補強板の回動遊端と上記一対の側板との間を係合して上記一対の側板の立脚姿勢を固定する固定具と、
を具備して構成される折畳机。
【請求項２】
請求項１記載の折畳机において、上記補強板と天板を長手方向のほぼ中央位置で切断して２分割し、２分割された補強板の分割線上を蝶番で結合して上記天板及び補強板の長手方向の寸法を１／２の寸法に折畳むことができる構成とした折畳机。
【発明の詳細な説明】
【０００１】
【発明の属する技術分野】
この発明は例えば鍵盤楽器演奏用の台、或いは勉強机、会議用机等として利用することができる折畳机に関する。
【０００２】
【従来の技術】
従来より不用時分解して仕舞っておくことができる机がある。その一例としては図１６に示すように、天板１の両側に側板２を木ネジ３で取付け、更に側板２の内面間に補強板３を差し渡し、側板２の立脚姿勢を補強する構造とした机がある。
【０００３】
【発明が解決しようとする課題】
図１６に示した机は木ネジ３を用いて組立てを行なう構造であるため少なくともドライバ程度の工具を用いる必要がある。組立後再度仕舞うには再び木ネジを取り外さなければならないため、取扱いが面倒である特に楽器の演奏用として利用する場合、演奏会場が変わる毎に分解と組立を繰返す必要があるため、取扱いが面倒である。
この発明の目的は工具を用いなくとも組立を行なうことができる折畳机を提供するものである。
【０００４】
【課題を解決するための手段】
この発明の請求項１では長方形状の天板と、この天板の短辺に沿って回動軸芯を持つ姿勢に装着された第１蝶番と、この第１蝶番によって天板の両端に天板の板面と平行する姿勢と直交する姿勢に回動できるように装着され、天板と直交する向に回動した姿勢において机の脚として作用する一対の側板と、天板の一方の長辺に沿って、この長辺と平行する向に回動軸芯を持つ姿勢に装着された第２蝶板と、天板の長手方向の寸法にほぼ等しい寸法を有し、第２蝶番により天板の天面側の面に平行する姿勢から、天板の板面と直交する向に回動し、この回動姿勢において立脚姿勢にある一対の側板の板面間に差し渡されて側板の立脚姿勢を補強する補強板と、この補強板の長手方向の両端の回動遊端側に装着され、補強板の回動遊端と一対の側板との間を係合して一対の側板の立脚姿勢を固定する固定具とを具備した構成される折畳机を提案する。
【０００５】
この発明の請求項２では請求項１で提案した折畳机において、補強板と天板を長手方向のほぼ中央位置で切断して２分割し、２分割された補強板の分割線上を蝶番で結合して天板及び補強板の長手方向の寸法の約１／２の寸法に折畳むことができる構成とした折畳机を提案する。
【０００６】
作用
この発明の折畳机によれば天板及び脚となるべき側板と、補強板は全て蝶番によって連結されており、天板の両側に側板を直交する向に回動させ、この側板の板面間に補強板を差し込む方向に回動させ、固定具で補強板と側板との間を係合させることにより組立が完了する。
従って、請求項１でする提案する折畳机によれば工具を全く用いることなく、簡単に組立てることができる。また折畳も簡単に行なうことができる。
【０００７】
更に、この発明の請求項２で提案する折畳机によれば天板及び補強板を長手方向のほぼ１／２の寸法の位置で切断し、その切断位置において、２分割した補強板を蝶番で結合したから、全体を更に１／２の寸法に折畳むことができる。この結果コンパクトに折畳むことができるため、仕舞っておく場合も、また移動時の搬送状態でも場所を占めず取扱いが容易である。
【０００８】
【発明の実施の形態】
図１にこの発明のよる折畳机の実用状態、図２に背面図を示す。図中１００はこの発明による折畳机、２００はこの折畳机１００の上に搭載した電子鍵盤楽器を示す。
図中１０１は机の上面板となる長方形状の天板を示す。天板１０１は側板１０３が立脚状態にあるとき、側板１０３の上部間に差し渡されて水平な姿勢に支持される。天板１０１と側板１０３の間は第１蝶番１０２により回動自在に連結される。つまり、第１蝶番１０２は天板１０１の短辺に沿う向に回動軸を持つ姿勢で天板１０１の短辺に装着され、この第１蝶番により側板１０３が図２に示す矢印Ａの方向に回動できるように天板１０１に連結される。従って一対の側板１０３は天板１０１の裏側の面に平行する姿勢と、天板１０１の板面と直交する姿勢をとることができる。
【０００９】
天板１０１の一方の長辺に沿って第２蝶番１０４が装着される。この第２蝶番１０４は天板１０１の長辺に沿う方向に回動軸芯を有し、この第２蝶番１０４により補強板１０５を天板１０１の長辺と平行する軸線上を回動支点として回動自在に天板１０１に連結する。図３及び図４に第２蝶番１０４の詳細を示す。この実施例では第２蝶番１０４の回動軸Ｘを天板１０１の長辺の縁より少なくとも補強板１０５の厚みＴ１より大きい距離Ｔ２だけ離れた位置に設置した場合を示す。このように第２蝶番１０４の回動軸Ｘの位置を設定することにより、補強板１０５を天板１０１の板面と直交する姿勢に回動した場合（初期位置から約２７０°回転させる）に補強板１０５の厚み部分が図４に示すように天板１０１の端面と回動軸Ｘとの間に入ることができる。補強板１０５を図４に示す位置に回動させることにより側板１０３は補強板１０５の短辺によって規制され、立脚姿勢に固定される。
【００１０】
この発明では更に、この立脚姿勢を確保するために、補強板１０５の回動遊端側に固定具１０６を設ける。固定具１０６としては一般にパチン錠と呼ばれている締付金具を用いることができる。図５に固定具１０６の締付状況を示す。この例では側板１０３の側辺に切欠１０３Ａを形成し、この切欠１０３Ａの凹部面に爪１０６Ａを装着し、この爪１０６Ａに固定具１０６の引掛具１０６Ｂを係合させ、レバーを倒すことにパチン錠の締付力により側板１０３の側面を補強板１０５の端面に引き付ける。これにより、側板１０３と補強板１０５との間はガタツキなく固定される。この状態では側板１０５の上端に天板１０１の長手方向の力を加えても側板１０５は傾動することなく、強固に直立姿勢を維持する。尚、固定具１０６としては上述したパチン錠に限らず、他の構造の締付具を用いることもできる。
【００１１】
図１及び図２に示す状態から折畳む場合は、
▲１▼　固定具１０６の締付力を解除し、側板１０３との係合を解く、
▲２▼　この状態から補強板１０５を上方に回動させ図３に示す天板１０１の上面と平行する姿勢に移動させる。
▲３▼　側板１０３を天板１０１の裏面に平行する姿勢に回動する。
折畳んだ状態を図６乃至図８に示す。尚、図８に示す１０７は補強板１０５の短辺の回動遊端側に取り付けた例えばフェルトのような保護材を示す。この保護材１０７を取り付けることにより、補強板１０５を回動させる際に、側板１０３の板面に傷を付けることを防止することができる。
【００１２】
また、上述では第２蝶番１０４の回動軸Ｘを天板１０１長辺からＴ２だけ離れた位置に設置した例を説明したが、この構造は必ずしも本発明の必須要件ではない。つまり、例えば図９及び図１０に示すように第２蝶番１０４の回動軸Ｘを天板１０１の長辺に接近させて配置しても、補強板１０５を約２７０°回動させ、天板１０１の板面と直交する姿勢にすることができる。ただし、この場合には第２蝶番１０４の回動軸Ｘと補強板１０５の板面までを天板１０１の厚み相当分Ｔ１だけ離す必要がある。
【００１３】
図１１乃至図１５は請求項２で提案する折畳机の実施例を示す。請求項２で提案する折畳机は天板１０１と補強板１０５の長手方向の中央位置において長手方向に関して２分割し、２分割された補強板１０５の切断部分を第３蝶番１１１により回動自在に連結し、第３蝶番１１１により補強板１０５と天板１０１を１／２の長さに折畳む構造とした場合を示す。図１２は１／２の長さに折畳んだ状態を示す。図１３に組立た状態を示す。図１３に示すように補強板１０５の中央位置において第３蝶番１１１により連結されており、また、端面同士が突き当たるため、補強板１０５としての形状が維持され、側板１０３の立脚姿勢を安定に維持することができる。
【００１４】
天板１０１の端面には例えば図１４又は図１５に示すように凹凸係合手段１０８、１０９を形成する。この凹凸係合手段１０８、１０９を係合させることにより、天板１０１の端面の係合が外れることを阻止する構造とすればよい。
【００１５】
【発明の効果】
以上説明したように、この発明によれば工具を用いなくとも組立及び折畳みを行なうことができる。従って楽器の演奏に用いる場合に。演奏会場でも組立及び折畳みを短時間にすませることができる効果が得られる。
また家庭で用いる場合でも折畳みを簡単に行なうことができるから、不用な場合は折畳んで仕舞っておくことができ、また必要な場合も簡単に組立てることができるから、室内を無駄なく利用することができる効果が得られる。
【図面の簡単な説明】
【図１】この発明の折畳机の実用状態を説明するための正面図。
【図２】この説明による折畳机の背面図。
【図３】図１及び図２に示した実施例に用いた第２蝶番の詳細を説明するための側面図。
【図４】図３と同様の側面図。
【図５】この発明に用いた固定具の一例を説明するための正面図。
【図６】この発明の折畳机を折畳んだ状態を説明するための平面図。
【図７】図６の側面図。
【図８】図６を他の向きから見た側面図。
【図９】この発明で用いることができる第２蝶番の他の例を示す側面図。
【図１０】図９と同様の側面図。
【図１１】この説明の請求項２で提案する折畳机の実施例を説明するための側面図。
【図１２】図１１に示した状態から更に１／２の長さに折畳んだ状態を説明するための側面図。
【図１３】請求項２で提案した折畳机を組立た状態を説明するための背面図。
【図１４】請求項２で提案した折畳机の天板に施す構造を説明するための平面図。
【図１５】図１３と同様の平面図。
【図１６】従来の技術を説明するための斜視図。
【符号の説明】
１００　　折畳机　　　　　　　　１０５　　補強板
１０１　　天板　　　　　　　　　１０６　　固定具
１０２　　第１蝶番　　　　　　　１０７　　保護材
１０３　　側板　　　　　１０８、１０９　　凹凸係合手段
１０４　　第２蝶番　　　　　　　１１１　　第３蝶番
【図１】
2004008523.tif 000002
【図２】
2004008523.tif 000003
【図３】
2004008523.tif 000004
【図４】
2004008523.tif 000005
【図５】
2004008523.tif 000006
【図６】
2004008523.tif 000007
【図７】
2004008523.tif 000008
【図８】
2004008523.tif 000009
【図９】
2004008523.tif 000010
【図１０】
2004008523.tif 000011
【図１１】
2004008523.tif 000012
【図１２】
2004008523.tif 000013
【図１３】
2004008523.tif 000014
【図１４】
2004008523.tif 000015
【図１５】
2004008523.tif 000016
【図１６】
2004008523.tif 000017